(57)【特許請求の範囲】
【請求項１】
ＡＣＰＩにより電力制御される携帯型コンピュータシステムにおいて、
中央処理装置（ＣＰＵ）と；
前記中央処理装置と連結され、内部に所定のＵＳＢコントローラを有し、マウス等の周辺装置を接続することができる複数のポートが備えられた連結チップセットと；
複数のデバイスを接続するための複数の接続ポートを有し、前記連結チップセットに連結されるＵＳＢハブと；
前記ＵＳＢハブと前記ＵＳＢコントローラとの間に介され、前記ＵＳＢハブに接続されたデバイスの中の少なくともいずれか一つが稼動する時、前記ＵＳＢコントローラからの信号を前記ＵＳＢハブに伝達する開閉回路とを含み；
前記開閉回路は、前記ＵＳＢハブと前記ＵＳＢコントローラとの間に介されて前記ＵＳＢハブに向かう前記ＵＳＢコントローラからの信号を遮断するスイッチ部と、前記ＵＳＢハブに接続されたデバイスの少なくともいずれか一つが稼動する時、前記スイッチ部をオンにする制御部とを含み；
前記制御部は、前記ＵＳＢハブに接続された各デバイスのうち少なくともいずれか一つが稼動する時、前記スイッチ部をオンにして前記ＵＳＢコントローラからの信号が前記ＵＳＢハブに伝達されるようにし、前記ＵＳＢハブに接続された各デバイスの全てが稼動しない時、前記スイッチ部をオフにして前記ＵＳＢコントローラから前記ＵＳＢハブに向かう信号を遮断すること；
を特徴とする携帯型コンピュータシステム。
【請求項２】
前記制御部と連結されて前記制御部が前記スイッチ部をターンオン及びターンオフさせるようにする信号を前記制御部に出力するデバイス駆動部をさらに含むことを特徴とする請求項１に記載の携帯型コンピュータシステム。
【請求項３】
中央処理装置（ＣＰＵ）と連結され、内部にＵＳＢコントローラを有し、マウス等の周辺装置を接続することができる複数のポートが備えられた連結チップセットと；複数のデバイスを接続するための複数の接続ポートを有し、前記連結チップセットに連結されるＵＳＢハブと；前記ＵＳＢハブと前記ＵＳＢコントローラとの間に介されて前記ＵＳＢハブに向かう前記ＵＳＢコントローラからの信号を遮断するスイッチ部と；を有してＡＣＰＩにより電力制御される携帯型コンピュータシステムの制御方法において、
前記ＵＳＢハブに接続されたデバイスの稼動及び非稼動を認識する段階と；
前記ＵＳＢハブに接続されたデバイスの少なくともいずれかが稼動するときに前記スイッチ部をオンにして前記ＵＳＢコントローラからの信号を前記ＵＳＢハブに伝達し、前記ＵＳＢハブに接続されたデバイスの全てが非稼動であるときに前記スイッチ部をオフにして前記ＵＳＢコントローラから前記ＵＳＢハブに向かう信号を遮断する段階と；
を含むことを特徴とする携帯型コンピュータシステムの制御方法。
【発明の詳細な説明】
【０００１】
【発明の属する技術分野】
本発明は、携帯型コンピュータシステム及びその制御方法に関する。
【０００２】
【従来の技術】
携帯型コンピュータは、机の上に本体、モニター及びキーボードの全てを置いて使用するいわゆるデスクトップ型コンピュータとは異なり、本体とモニターが一体に結合されて携帯できるようにしたものである。携帯型コンピュータは、中央処理装置（ＣＰＵ）が装着されており、ＲＡＭを始めとするディスクドライバー、グラフィックカード等の種々のカード等が設けられているメインボードを有する本体と、本体に電気的に連結されて外部に画像をディスプレイするモニターと、本体に所定の情報を入力するキーボード及びマウス等を含む入力装置と、を含む。
【０００３】
このような携帯型コンピュータシステムには電力管理（Ｐｏｗｅｒ Ｍａｎａｇｅｍｅｎｔ）機能が備えられており、初期の単純な電力管理機能を提供する電力管理システム（Ｐｏｗｅｒ Ｍａｎａｇｅｍｅｎｔ Ｓｙｓｔｅｍ）からより向上された電力管理機能を有する「向上された電力管理システム（Ａｄｖａｎｃｅｄ Ｐｏｗｅｒ Ｍａｎａｇｅｍｅｎｔ Ｓｙｓｔｅｍ）」に発展してコンピュータシステムに適用されて来た。現在、ＩＢＭの互換性のあるコンピュータシステムは、主にＡＰＭ（Ａｄｖａｎｃｅｄ  Ｐｏｗｅｒ  Ｍａｎａｇｅｍｅｎｔ）システムを用いている。これにより、コンピュータシステムの無駄な消費電力を大きく抑制することができる。
【０００４】
一方、コンピュータシステムは、電源を入れてからユーザーがコンピュータシステムを使用できる状態になるまでには、ＢＩＯＳによるブートからオペレーティングシステムによるブートまでの処理を実行しなければならない。しかしながら、コンピュータシステムの構成及びこれに搭載されるオペレーティングシステム及び様々なアプリケーションプログラムが多くなるにつれて、コンピュータシステムのブート時間は益々長くなってきている。
【０００５】
より向上された電力管理及びより早いコンピュータの使用のため、インテル（Ｉｎｔｅｌ Ｃｏｒｐｏｒａｔｉｏｎ）、マイクロソフト（Ｍｉｃｒｏｓｏｆｔ Ｃｏｒｐｏｒａｔｉｏｎ）、東芝（Ｔｏｓｈｉｂａ Ｃｏｒｐｏｒａｔｉｏｎ）は、１９９６年１２月２２日「新電力管理規格１．０版（Ａｄｖａｎｃｅｄ Ｃｏｎｆｉｇｕｒａｔｉｏｎ ａｎｄ Ｐｏｗｅｒ Ｉｎｔｅｒｆａｃｅ Ｓｐｅｃｉｆｉｃａｔｉｏｎ Ｒｅｖｉｓｉｏｎ １．０）」を発表した。その後、近年のコンピュータシステムにはＡＣＰＩ（Ａｄｖａｎｃｅｄ Ｃｏｎｆｉｇｕｒａｔｉｏｎ ａｎｄ Ｐｏｗｅｒ Ｉｎｔｅｒｆａｃｅ）規格が適用されている。ＡＣＰＩは、ハードウェア、周辺機器のそれぞれに対して省電力に関するインターフェイスを決め、ＯＳが直接電力管理を行うことにより、より向上された電力管理及びより早いコンピュータシステムの使用を可能にする。
【０００６】
ＡＣＰＩでは、コンピュータシステムの電力管理は、六段階のスリープ状態（Ｓｌｅｅｐｉｎｇ Ｓｔａｔｅ）Ｓ０からＳ５に区分されて規定されている。Ｓ０状態は正規状態であり、Ｓ１からＳ４状態ではコンピュータシステムの消費電力が段階的に減少していき、Ｓ５状態はコンピュータシステムの全ての電源が遮断された状態を言う。このような電力管理機能を有するコンピュータシステムの電力供給装置は、主電源（Ｍａｉｎ Ｐｏｗｅｒ）と待機電力（Ｓｔａｎｄｂｙ Ｐｏｗｅｒ）とに分れた電力供給構造を有するＡＴＸ規格（ＡＴＸ Ｓｐｅｃｉｆｉｃａｔｉｏｎ）を支援する。ＡＴＸ規格を支援する電力供給装置は、主電源が入っている状態では常に待機電力を出力している。この待機電力は、コンピュータシステムの電力管理コントローラに供給される。
【０００７】
ここで、ＡＣＰＩのＳ３状態は、コンピュータシステムを早く再使用できるようにするための状態であり、この状態では揮発性メモリ（Ｖｏｌａｔｉｌｅ Ｍｅｍｏｒｙ）からなるシステムメモリ（ＲＡＭ）と電力管理コントローラを除いたその他のコンピュータハードウェア装置への電力供給が中止されている。システムがＳ３状態に移行する過程を「Ｓｕｓｐｅｎｄ ｔｏ ＲＡＭ」と言い、前記過程でシステムメモリにシステムの内容（Ｓｙｓｔｅｍ Ｃｏｎｔｅｘｔ）が保存される。
【０００８】
システムでＳ３モードの状態が指定されると、ＡＣＰＩの機能に従ってシステムメモリに現在の作業内容が保存され、システムメモリと電力管理コントローラ以外の全てのコンピュータハードウェア装置の電源がオフになる。そして、コンピュータシステムがＳ３状態から正規状態に移行されるウェークアップ（Ｗａｋｅ Ｕｐ）動作では、通常のブート処理を実行するのではなく、システムメモリに保存されていた内容を呼び出すことによりシステムをより早く再使用できるようにしている。従って、節電効果が大きく、かつシステムの再使用にかかる時間が短いＡＣＰＩのＳ３状態は、多くのユーザーが望む機能である。
Ｓ３状態は作業内容をＲＡＭに保存した後、コンピュータシステムを待機モードに移行させるので、電力の消費を最小化することができ、かつコンピュータシステムに電力を再度供給した際には揮発性メモリのＲＡＭに保存されていた作業内容を呼び出してすぐにシステムの再使用を可能とするので、ユーザーの操作性を向上させることができる。
【０００９】
一方、システムに搭載されているＣＰＵ、ＣＤ−ＲＯＭ、ＨＤＤ、ＭＯＤＥＭ等の装置は、コンピュータシステムの状態によって消費電力が段階的に減少していく。ＣＰＵの場合はＣ０からＣ３の段階に、ＣＤ−ＲＯＭ、ＨＤＤ、ＭＯＤＥＭ等の場合はＤ０からＤ３の段階に区分されている。
【００１０】
このとき、消費電力はＣ０状態に行くほど多くなる。Ｃ０状態では、中央処理装置（ＣＰＵ）はフルに稼動しており、周辺デバイスも中央処理装置によって認識されている。また、Ｃ２状態の場合には、中央処理装置は稼動しているが、中央処理装置内のＰＬＬ（Ｐｈａｓｅ Ｌｏｃｋｅｄ Ｌｏｏｐ）から出力される出力情報（Ｏｕｔ Ｐｕｔ）は遮断されている。しかし、中央処理装置による周辺デバイスの認識は、Ｃ０状態同様Ｃ２状態でも行われている。
【００１１】
このとき、周辺デバイスが稼動していなければ、中央処理装置への信号の送信を初めから遮断することにより、中央処置装置が稼動していない周辺デバイスを認識できないようにし、無駄な電力の消費を防ぐことが望ましい。これを中央処理装置のＣ３状態と言い、Ｃ３状態では消費電力を低く抑えることができるので、充電式の携帯型コンピュータをより長時間使用することができるという長所がある。しかしながら、従来の携帯型コンピュータシステムにおいては、別途ＵＳＢハブを装着し、これにＭＰ３或いはＢＬＵＥ ＴＯＯＴＨ等の各種デバイスを接続した場合、ユーザーが各デバイスを稼動させていないにも関わらず、中央処理装置（ＣＰＵ）はＵＳＢハブを始めとする各種デバイスを反復チェックする無駄な処理を実行してしまう。
【００１２】
このように、中央処理装置がＵＳＢハブを始めとしてこれに接続された各種デバイスを反復チェックすることにより、システムはＣ３状態を維持することができなくなり、消費電力が増加するだけでなく、本体で発生した熱によって内臓されたメモリ及び各種チップの寿命が短縮されかねないという問題点がある。
【００１３】
【発明が解決しようとする課題】
本発明の目的は、ＡＣＰＩ下でＵＳＢハブを装着した場合、中央処理装置がＣ３状態を維持できるようにすることにより、消費電力を低減することができ、かつ、本体で発生する熱を減らすことができる携帯型コンピュータシステム及びその制御方法を提供することである。
【００１４】
【課題を解決するための手段】
本発明は、前記課題を解決するため、携帯型コンピュータにおいて、中央処理装置（ＣＰＵ）と；前記中央処理装置と連結され、内部に所定のＵＳＢコントローラを有し、マウス等の周辺装置を接続することができる複数のポートが備えられた連結チップセットと；複数のデバイスを接続するための複数の接続ポートを有し、前記連結チップセットに連結されるＵＳＢハブと；前記ＵＳＢハブと前記ＵＳＢコントローラとの間に介され、前記ＵＳＢハブに接続されたデバイスの中の少なくともいずれか一つが稼動する時、前記ＵＳＢコントローラからの信号を前記ＵＳＢハブに伝達する開閉回路と；を含むことを特徴とする携帯型コンピュータシステムによって達成される。
【００１５】
ここで、前記制御部は、前記ＵＳＢハブに接続された各デバイスの中の少なくともいずれか一つが稼動する時、前記スイッチ部をオンにして前記ＵＳＢコントローラからの信号を前記ＵＳＢハブに伝達し；前記ＵＳＢハブに接続された各デバイスの全てが稼動していない時、前記スイッチ部をオフにして前記ＵＳＢハブに向かう前記ＵＳＢコントローラからの信号を遮断する。
このとき、前記制御部と連結されて前記制御部が前記スイッチ部をターンオン及びターンオフさせるようにする信号を前記制御部に出力するデバイス駆動部をさらに含む。
【００１６】
また、本発明は、中央処理装置（ＣＰＵ）と連結され、内部にＵＳＢコントローラを有し、マウス等の周辺装置を接続することができる複数のポートが備えられた連結チップセットと；複数のデバイスを接続するための複数の接続ポートを有し、前記連結チップセットに連結されるＵＳＢハブと；前記ＵＳＢハブと前記ＵＳＢコントローラとの間に介されて前記ＵＳＢハブに向かう前記ＵＳＢコントローラからの信号を遮断するスイッチ部と；を有する携帯型コンピュータシステムの制御方法において、前記ＵＳＢハブに接続された各デバイスの中の少なくともいずれか一つが稼動することを認識する段階と；認識された前記信号に基づいて前記スイッチ部をオンにすることにより、前記ＵＳＢコントローラからの信号を前記ＵＳＢハブに伝達する段階と；を含むことを特徴とする携帯型コンピュータシステムの制御方法によっても達成される。
【００１７】
ここで、前記制御方法には、前記ＵＳＢハブに接続された各デバイスが稼動していないことを認識する段階と；認識された前記信号に基づいて前記スイッチ部をオフにすることにより、前記ＵＳＢハブに向かう前記ＵＳＢコントローラからの信号を遮断する段階と；をさらに含む。
【００１８】
【発明の実施の形態】
以下、添付した図面を参照して本発明を詳細に説明する。
図１は本発明による携帯型コンピュータシステムの概略を示した構成図である。図示したように、本発明による携帯型コンピュータシステムは、電源を入れた後、ＢＩＯＳによるブートからオペレーティングシステムによるブートまでの処理が実行され、駆動部１０によって中央処理装置１２が動作することにより、ユーザーがコンピュータシステムを使用することができるようになる。
【００１９】
中央処理装置１２内のＰＬＬ（Ｐｈａｓｅ Ｌｏｃｋｅｄ Ｌｏｏｐ）１４は、第１連結チップセット１６に情報を伝送する。ここで、ＰＬＬ１４はデータ信号と共に速度調節情報を伝送する方法であり、受信側では受信した速度調節情報に自分のローカルクロックを合わせることにより信号を検出する。
【００２０】
ＰＬＬ１４からの情報を受信した第１連結チップセット１６は、メモリ部１７及びビデオチップ１８等のデバイスに情報を送信すると共に第２連結チップセット２０にも情報を送信する。この時、第２連結チップセット２０には、中央処理装置１２のＰＬＬ１４と連結された所定のＵＳＢコントローラ１９とマウス或いはキーボード等の周辺装置２１を接続できる第１ポート２２及び第２ポート２３が設けられている。
【００２１】
第１ポート２２にはマウス等の周辺装置２１が接続されており、第２ポート２３には第１から第４までの４つのデバイス２５ａから２５ｄを接続することができるＵＳＢハブ２４が連結される。この時、ＵＳＢハブ２４を装着する理由は、ＭＰ３或いはＢＬＵＥ ＴＯＯＴＨ等の各種デバイスをデバイス２５ａから２５ｄとして設置するために第２連結チップセット２０のポートを拡張するためである。ここで、図示したＵＳＢハブ２４には４つのデバイス２５ａから２５ｄが接続されているが、場合によってはデバイスの数をそれ以上に或いはそれ以下にすることもできる
【００２２】
このような、ＵＳＢハブ２４とＵＳＢコントローラ１９との間には図２及び図３に示したように、ＵＳＢコントローラ１９とＵＳＢハブ２４の接続をオン／オフに切替えることができる開閉回路３０が設けられている。開閉回路３０は、ＵＳＢハブ２４とＵＳＢコントローラ１９との間に介されてＵＳＢハブ２４に向かうＵＳＢコントローラ１９からの信号を遮断するスイッチ部３１とＵＳＢハブ２４に接続された各デバイス２５ａから２５ｄの中のいずれか一つの稼動状態に基づいてスイッチ部３１をオン／オフに切替える制御部３２と、を含む。
【００２３】
制御部３２にはデバイス駆動部３３ａから３３ｄを連結することができる。ここで、デバイス駆動部３３ａから３３ｄは、コンピュータ本体の外側にボタンタイプとして設けられることも、あるいは、ソフトウェアを用いてデバイス２５ａから２５ｄの中のいずれか一つを稼動させるとこれに該当するデバイス駆動部３３ａから３３ｄの中のいずれか一つが共に動作するようにすることもできる。
【００２４】
以下に、本発明による携帯型コンピュータシステムの制御方法を説明する。
図示したように、ＵＳＢコントローラ１９と連結されたＵＳＢハブ２４を設置してＵＳＢハブ２４に第１から第４までの４つのデバイス２５ａから２５ｄを接続する。説明の便宜のため、第１デバイス２５ａをＭＰ３とし、第２デバイス２５ｂをＢＬＵＥ ＴＯＯＴＨとする。
【００２５】
先ず、ユーザーが各デバイス２５ａから２５ｄの中で第１デバイス２５ａのＭＰ３を稼動させる場合、上述したボタンタイプの第１デバイス駆動部３３ａを作動させるか、あるいはソフトウェアによりデバイス駆動部３３ａが動作されて、第１デバイス２５ａと対応する第１デバイス駆動部３３ａで高電力が発生し、その信号は制御部３２に送信される。制御部３２は、この信号に基づいてスイッチ部３１をオンにすることにより、ＵＳＢコントローラ１９からの信号はＵＳＢハブ２４に伝達されて第１デバイス２５ａに向かう。この時、中央処理装置１２ではＵＳＢハブ２４を始めとする各種デバイス２５ａから２５ｄを反復的にチェックする。
【００２６】
次に、ユーザーが第１デバイス２５ａの使用を中止し、各デバイス２５ａから２５ｄの中のいずれもが稼動していない場合には、各デバイス駆動部３３ａから３３ｄからは低電力が発生されて、その信号は制御部３２に送信される。制御部３２はこの信号に基づいてスイッチ部３１をオフにすることにより、ＵＳＢハブ２４に伝達されるＵＳＢコントローラ１９からの信号は遮断される。
【００２７】
このように、本発明では、複数のデバイス２５ａから２５ｄを接続できる複数の接続ポートを有し、前記連結チップセットに結合されるＵＳＢハブ２４と；前記ＵＳＢハブ２４と前記ＵＳＢコントローラ１９との間に介されて前記ＵＳＢハブ２４に向かう前記ＵＳＢコントローラ１９からの信号を遮断するスイッチ部３１と；前記ＵＳＢハブ２４に接続された各デバイス２５ａから２５ｄの中の少なくともいずれか一つが稼動する時、前記スイッチ部３１をオンにする制御部３２と、を含むように構成することにより、ＡＣＰＩ下でＵＢＳハブが装着されている場合、中央処理装置１２がＣ３状態を維持することができる。従って、消費電力を低減することができ、本体で発生する熱を減らすこともできる。
【００２８】
【発明の効果】
前述したように、本発明においては、ＡＣＰＩ下でＵＳＢハブを装着した場合、中央処理装置がＣ３状態を維持することができるようにすることにより、消費電力を低減し、本体で発生する熱を減らすことができる携帯型コンピュータシステム及びその制御方法を提供することができる。
【図面の簡単な説明】
【図１】本発明による携帯型コンピュータシステムの概略を示した構成図である。
【図２】本発明による携帯型コンピュータシステムの主要部のブロック図である。
【図３】図２に対応する回路図である。
【符号の説明】
１０    駆動部
１２    中央処理装置
１４    ＰＬＬ（Ｐｈａｓｅ  Ｌｏｃｋｅｄ  Ｌｏｏｐ）
１６    第１連結チップセット
１７    メモリ部
１８    ビデオチップ
１９    ＵＳＢコントローラ
２０    第２連結チップセット
２１    周辺装置
２２    第１ポート
２３    第２ポート
２４    ＵＳＢハブ
２５ａ  第１デバイス
２５ｂ  第２デバイス
２５ｃ  第３デバイス
２５ｄ  第４デバイス
３０    開閉回路
３１    スイッチ部
３２    制御部
３３ａ  第１デバイス駆動部
３３ｂ  第２デバイス駆動部
３３ｃ  第３デバイス駆動部
３３ｄ  第４デバイス駆動部
【図１】
0003789792.tif 000002
【図２】
0003789792.tif 000003
【図３】
0003789792.tif 000004